(57)【要約】  従来グレアカットキャップによって遮られていた光源からの直接光についても，照明光として有効に利用するための，グレアカットキャップ及び前記グレアカットキャップを備えた照明器具を提供する。光源１０と，光源１０からの光を反射して前方に照射するリフレクタ２０を備えた照明器具１の前記光源１０の先端部に，透光性を有する材料によって形成され，且つ，開口部３１側から内部に入射した光を透過させる際に所定の状態に拡散，集束，散乱及び／又は屈折させることにより前記光を制御するレンズ乃至はプリズムとして機能する形状に形成されたグレアカットキャップ３０を，開口縁３１ａがコーン５０の内面上端βから光源１０の発光部αに接するように結ぶ線γ上に位置するように光源１０の先端部に取り付ける。
2014061157.tif 000002
【特許請求の範囲】
【請求項１】
光源と，前記光源で発生した光を反射して前方に照射するリフレクタを備えた照明器具において，前記光源の先端部を受け入れる開口部と，前記光源の先端部外周を覆う胴部と，前記開口部とは反対側端部において前記胴部を閉塞する頭部を備えた，透光性材料によって形成され，
前記開口部の開口縁が，ケーシングの開口端に設けたコーンの内面上端から光源の発光部の接線上に位置するように，前記光源の先端部を被覆すると共に，
前記開口部側から内部に入射された光を所定の状態に拡散，集束，散乱及び／又は屈折させて透過することにより制御するレンズ乃至はプリズム形状に形成したことを特徴とするグレアカットキャップ。
【請求項２】
内，外周面間の肉厚を所定のパターンで変化させることにより前記レンズ乃至はプリズムとしての機能を付与したことを特徴とする請求項１記載のグレアカットキャップ。
【請求項３】
内周面及び／又は外周面に凹凸を形成することにより，前記レンズ乃至はプリズムとしての機能を付与したことを特徴とする請求項１又は２記載のグレアカットキャップ。
【請求項４】
前記胴部を前記頭部側に向かって所定の傾斜角で幅を狭める形状に形成すると共に，前記胴部外周面の延長上，又はその近傍に前記リフレクタの焦点が位置するように前記光源の先端部に取り付けて使用する請求項１〜３いずれか１項記載のグレアカットキャップ。
【請求項５】
前記頭部の肉厚を，中心から外周側に向かって増加させたことを特徴とする請求項１〜４いずれか１項記載のグレアカットキャップ。
【請求項６】
前記頭部の肉厚を，中心から外周側に向かって減少させたことを特徴とする請求項１〜４いずれか１項記載のグレアカットキャップ。
【請求項７】
前記頭部を外側に向かって膨出する半円弧状に形成したことを特徴とする請求項１〜６いずれか１項記載のグレアカットキャップ。
【請求項８】
前記胴部外周面に軸線方向に連続して膨出する凸条を形成し，
前記胴部の内周面に階段状の段差を形成すると共に，該段差の稜線を曲線的に形成して周方向に凹凸レンズ状の透過面を連続形成したことを特徴とする請求項１〜７いずれか１項記載のグレアカットキャップ。
【請求項９】
前記頭部を外側に向かって膨出する半円弧状に形成すると共に，前記頭部の内壁面の円弧の半径が，前記外壁面の円弧の半径よりも短く，且つ，前記内壁面の円弧の中心を，前記外壁面の円弧の中心に対し前記頭部寄りに設けたことを特徴とする請求項８項記載のグレアカットキャップ。
【請求項１０】
光源と，前記光源によって発生した光を反射して前方に照射するリフレクタを備え，前記光源の先端部に，請求項１〜９いずれか１項記載のグレアカットキャップを取り付けたことを特徴とする照明器具。
【請求項１１】
透光性材料の円盤の中央に前記グレアカットキャップを固定し，又は，透光性材料の円盤の中央に前記グレアカットキャップを一体的に形成し，前記円盤を前記ケーシング内に固定して前記光源の先端部に前記グレアカットキャップを取り付けたことを特徴とする請求項１０記載の照明器具。
【請求項１２】
前記グレアカットキャップの前記頭部の周縁を載置し，又は胴部を嵌合する環状部と，前記環状部の外周縁より立ち上がると共に，先端部で前記グレアカットキャップの開口縁を係止する固定爪と，前記環状部の外周縁より外周方向に突出する支持脚を備える取付治具を前記グレアカットキャップに取り付け，
前記グレアカットキャップに取り付けた前記取付治具の前記支持脚を，前記ケーシング内の所定の位置に固定して前記光源の先端部に前記グレアカットキャップを取り付けたことを特徴とする請求項１０記載の照明器具。
【請求項１３】
前記コーンの上端部に，外周に雄ネジが形成された挿入部を形成し，前記ケーシングの開口内に，他の部分に対して内径を大きくした大径部と前記大径部を画成する段部を形成すると共に，前記大径部の内周に前記挿入部の外周に形成した雄ネジと螺合する雌ネジを形成し，
前記大径部に挿入すると共に螺合された前記挿入部の先端と，前記段部との間で，前記取付治具の前記支持脚の先端部を挟持可能とした請求項１１又は１２記載の照明器具。
【請求項１４】
前記大径部の内周面に，前記取付治具の前記支持脚の先端部を受け入れる，位置決め溝を設けたことを特徴とする請求項１３記載の照明器具。
【発明の詳細な説明】
【技術分野】
【０００１】
本発明はグレアカットキャップ及び前記グレアカットキャップを備えた照明器具に関し，より詳細には，光源からの光をリフレクタにより反射し，この反射光を照明光として使用することでリフレクタによる光の制御を行う照明器具において，前記リフレクタによって制御できない光源からの直接光が照明光として使用されることを防止するために，光源の先端部に取り付けて使用するグレアカットキャップ，及び前記グレアカットキャップを備えた照明器具に関する。
【背景技術】
【０００２】
図１３に示すように，一般的に照明器具１００は高輝度ランプ等の光源１１０と，前記光源１１０からの光を反射するためのリフレクタ１２０を備えており，前記光源１１０の先端部分を，金属やセラミックスなどの遮光性を有する材料で形成されたグレアカットキャップ１３０によって覆うことで，光源１１０で発生した光のうち，リフレクタ１２０に入射されない制御不能な光をカットし，前記リフレクタ１２０によって反射された光のみを照明光として使用することで，照明に使用する光の向きや収束，拡散等を所望の通り制御すると共に，光源からの光が直接視界に入ることにより感じられる不快な眩しさを減じる等の措置が講じられている（特許文献１参照）。【０００３】
しかし，このようなグレアカットキャップ１３０の取り付けによって光源１１０からの照射光の一部を遮る場合，光源１１０で発生した光の一部が照明に利用されることなく失われるため，実際の照明において必要な光量に対し，より大きな光量を発生することができる光源１１０が必要となり，照明器具１００全体が大型化する。【０００４】
その一方で，このような照明器具１００にあっては，光源からの直射光をグレアカットキャップ１３０でカットした状態において，リフレクタ１２０からの反射光によって適切な照明を行うことができるように設計が行われていることから，このような照明器具よりグレアカットキャップ１３０を除去すれば，照明に利用できる光量が増えて明るさは増すものの，不快な眩しさを抑えることができないだけでなく，照明の中心部分や周縁部分が他の部分に比較して明るくなる等の照明むらが生じる。【０００５】
そこで，グレアカットキャップ１３０を装備しつつ，前述したグレアカットキャップ１３０に入射した光についても照明に利用できるようにすることで，光源を大型化することなく光量を増加して一層の明るさを得ることができるようにすることも提案されている。【０００６】
このような照明器具１００として，図１４に示すようにグレアカットキャップ１３０の開口端部から外側へ突出する補助反射板１３６を周設し，前記補助反射板１３６に，光源１１０の中心を焦点とする放物面状の補助反射面１３６ａを形成し，且つ，前記補助反射面１３６ａの軸を光源１１０の中心軸に対して０°越から９０°未満の範囲で傾けることで，グレアカットキャップ１３０に入射した光をリフレクタ１２０に反射して照明光として利用することが提案されている（特許文献２）。【０００７】
なお，リフレクタにより制御できない光のカットを目的として光源の先端部のみを覆う前述のグレアカットキャップとは異なり，光源の発光点の外周を含む光源全体を覆うバルブキャップを設け，このバルブキャップの側部に拡散ステップを形成し，頭頂部に光の透過を妨げる遮光部又は／および光の方向を変化させるステップを形成するとともに，全体がリフレクタの表面模様に整合する外形のバルブキャップを設けることで，リフレクタの前面に配置される前面レンズに魚眼ステップを設けることを不要とした車両用標識灯も提案されている（特許文献３）。
【先行技術文献】
【特許文献】
【０００８】
【特許文献１】日本国特表２００８−１４７０４４号公報（図１，[0043]欄）
【特許文献２】日本国特開２０１０−１７０７３８号公報（図４）
【特許文献３】日本国特開平１０−２３０７７９号公報（図１，図３）
【発明の概要】
【発明が解決しようとする課題】
【０００９】
以上で説明した従来技術のうち，特許文献２に記載の発明では，図１４に示すようにグレアカットキャップ１３０に補助反射板１３６を設け，この補助反射板１３６に補助反射面１３６ａを設けることで，従来，照明光として利用されることなくグレアカットキャップ１３０に吸収されていた光をリフレクタ１２０に反射させることで照明光として利用できるようにしたことから，従来の照明器具１００で使用していた光源１１０に比較して小型の光源を使用した場合であっても同等以上の明るさを得ることができ，照明器具１００の小型化と省電力化を実現することができるようになっている。【００１０】
しかし，上記特許文献２に記載の構成において，光源１１０で発生した光や，リフレクタ１２０で反射された光のうち，前述の補助反射板１３６に入射した光は照明光として利用されるものの，グレアカットキャップ１３０の本体１３５に入射した光は依然として照明光として利用されないために，光源で発生した光の全てが有効に利用できるものとはなっていない。【００１１】
また，特許文献２に記載の照明器具１００の構成にあっては，天井等に取り付けられている照明器具を消灯時に室内より見上げると，グレアカットキャップが視界に入るため，照明器具の存在が際立ってしまい見映えが悪い。【００１２】
なお，特許文献３に記載のバルブキャップは，発光点の外周をも含めて光源全体を覆うように構成されており，リフレクタ１２０に入射される光を遮ることがないよう，光源１１０の先端部分のみを覆うように取り付けられるグレアカットキャップとは異なるものとなっている。【００１３】
そして，光源の全体を覆う特許文献３に記載のバルブキャップを備えた照明器具では，光源からリフレクタに向かって放出された光の全てをバルブキャップの側部に設けた拡散ステップによって拡散した後，更に，リフレクタによって制御しているため，バルブキャップの外形形状をリフレクタに形成した表面模様に整合させる必要がある等（特許文献３の請求項１），バルブキャップとリフレクタの協働により初めて所望の照明が実現できるようになっているため，相互に関連付けて専用の設計を行うことが必要で，構造が複雑であると共に，汎用性が無い。【００１４】
そこで本発明は，上記従来技術における欠点を解消するためになされたものであり，制御が及ばない光源からの直接光が照明光として使用されることを防止すると共に，不快な眩しさの発生等を防止しつつ，光源で発生した光を無駄にすることなく照明光として有効に利用することができ，その結果，照明器具の小型化と省電力化が実現可能であると共に，室内より見上げた際に，グレアカットキャップや光源の存在が目立たず，従って，室内の景観に溶け込み易くデザイン性にも優れたグレアカットキャップ，及び前記グレアカットキャップを備えた照明器具を提供することを目的とする。
【課題を解決するための手段】
【００１５】
以下に，課題を解決するための手段を，発明を実施するための形態で使用する符号と共に記載する。この符号は，特許請求の範囲の記載と発明を実施するための形態の記載との対応を明らかにするためのものであり，言うまでもなく，本願発明の特許請求の範囲の技術的範囲の解釈に制限的に用いられるものではない。【００１６】
上記目的を達成するために，本発明のグレアカットキャップ３０は，
ケーシング４０内に，光源１０と，前記光源１０で発生した光を反射して前記ケーシング４０の開口４４方向（以下，「前方」と称する）に照射するリフレクタ２０を備えた照明器具１において，前記光源１０の先端部を受け入れる開口部３１と，前記光源１０の先端部外周を覆う胴部３２と，前記開口部３１とは反対側端部において前記胴部３２を閉塞する頭部３３を備えた，透光性を有する材料によって形成され，
前記開口部３１の開口縁３１ａが，直線状に，前記ケーシング４０の開口端４３に設けたコーン５０の内面上端βから光源１０の発光部αに接する線（発光部αの接線）に連続する線γ上に位置するように，前記光源１０の先端部を被覆すると共に，
前記開口部３１側から内部に入射された光を，所定の状態に拡散，集束，散乱及び／又は屈折させて透過することにより制御するレンズ乃至はプリズムとして機能する形状に形成したことを特徴とする（請求項１）。【００１７】
前記グレアカットキャップ３０は，内，外周面間の肉厚を所定のパターンで変化させることにより前記レンズ乃至はプリズムとしての機能を付与することができ（請求項２），また，内周面及び／又は外周面に凹凸を形成することにより，前記レンズ乃至はプリズムとしての機能を付与することができる（請求項３）。【００１８】
更に，前記グレアカットキャップ３０の前記胴部３２を，前記頭部３３側に向かって所定の傾斜角θで幅を狭める形状に形成すると共に，前記胴部３２外周面の延長上，又はその近傍に前記リフレクタ２０の焦点Ｆが位置するように前記光源１０の先端部に取り付けて使用するように構成する（請求項４）。【００１９】
前記頭部３３は，肉厚を中心から外周側に向かって増加させ（請求項５），又は，中心から外周側に向かって減少させる（請求項６）ものとしても良い。【００２０】
更に，前記頭部３３は，これを外側に向かって膨出する半円弧状に形成するものとしても良い（請求項７）。【００２１】
更に，前記グレアカットキャップ３０は，前記胴部３２外周面に軸線方向に連続して膨出する凸条３４を形成し，
前記胴部３２の内周面に階段状の段差３５を形成すると共に，該段差３５の稜線を曲線的に形成して周方向に凹凸レンズ状の透過面を連続形成したものとしても良い（請求項８）。【００２２】
この場合，前記頭部３３を外側に向かって膨出する半円弧状に形成すると共に，前記頭部３３の内壁面の円弧の半径ｒが，前記外壁面の円弧の半径Ｒよりも短く，且つ，前記内壁面の円弧の中心ｃｒを，前記外壁面の円弧の中心ＣＲに対し前記頭部３３寄りに設ける構成とすることが好ましい（請求項９）。【００２３】
なお，本発明の照明器具１は，光源１０と，前記光源１０によって発生した光を反射して前方に照射するリフレクタ２０を備え，前記光源１０の先端部に，前述したいずれかのグレアカットキャップ３０を取り付けたものである（請求項１０）。【００２４】
前記構成の照明器具１において，光源１０の先端部に対するグレアカットキャップ３０の取り付けは，ガラスやアクリル等の透光性材料の円盤（図示せず）の中央に前記グレアカットキャップ３０を接着，その他の方法で固定し，又は，透光性材料の円盤の中央に前記グレアカットキャップ３０を一体的に形成し，前記円盤を前記ケーシング４０内に固定することによって行うものとしても良い（請求項１１）。【００２５】
前記透光性材料の円盤（図示せず）による取り付けに代え，光源１０の先端部に対するグレアカットキャップ３０の取り付けは，前記グレアカットキャップ３０の頭部３３の周縁を載置し，又は胴部３２を嵌合する環状部６１と，前記環状部６１の外周縁より立ち上がると共に，先端部で前記グレアカットキャップ３０の開口縁３１ａを係止する固定爪６２と，前記環状部６１の外周縁より外周方向に突出する支持脚６３を備える取付治具６０を前記グレアカットキャップ３０に取り付け，前記グレアカットキャップ３０に取り付けた前記取付治具６０の前記支持脚６３を，前記ケーシング内の所定の位置に固定することにより行うものとしても良い（請求項１２）。【００２６】
このように構成された取付治具６０によりグレアカットキャップ３０の取付を行う場合，前記コーン５０の上端部に，外周に雄ネジ５２が形成された挿入部５１を形成し，前記ケーシング４０の開口４４内に，他の部分に対して内径を大きくした大径部４５と前記大径部４５を画成する段部４６を形成すると共に，前記大径部４５の内周に前記挿入部５１の外周に形成した雄ネジ５２と螺合する雌ネジ４７を形成し，
前記大径部４５に挿入すると共に螺合された前記挿入部５１の先端と，前記段部４６との間で，前記取付治具６０の前記支持脚６３の先端部を直接，又は他の部材を介して挟持可能とするものとしても良い（請求項１３）。【００２７】
このように構成した場合，更に，前記大径部４５の内周面に，前記取付治具６０の前記支持脚６３の先端部を受け入れる，位置決め溝４８を設けるものとしても良い（請求項１４）。
【発明の効果】
【００２８】
以上で説明した本発明の構成により，本発明のグレアカットキャップ３０を備えた照明器具１にあっては，以下に説明する顕著な効果を得ることができた。【００２９】
リフレクタ２０によって制御できない光源からの直射光をレンズ乃至はプリズムの機能を有するグレアカットキャップ３０の内部に入射すると共に，グレアカットキャップ３０によって光源１０からの直接光を所望の状態に制御することで，光源１０が発した光を無駄なく利用することができ，遮光性のグレアカットキャップを使用した従来の照明器具に比較して明るさを大幅に改善することができた。【００３０】
その結果，同程度の明るさを得るために，従来の照明器具に比較して低ワット数の光源１０を使用することができ，光源１０の小型化に伴い照明器具１全体の小型化が可能であると共に，低消費電力の照明器具１を提供することができた。【００３１】
前記グレアカットキャップ３０に対する所望のレンズ乃至はプリズムとしての機能は，内，外周面間の肉厚を所定のパターンで変化させること，内周面及び／又は外周面に凹凸を形成すること，前記頭部３３の肉厚を中心から外周側に向かって減少又は増大させ，又は前記頭部を外側に向かって半円弧状に膨出させること，及びこれらを組合せることにより比較的容易に付与することができた。【００３２】
グレアカットキャップ３０の胴部３２外周面に軸線方向に連続して膨出する凸条３４を形成し，前記胴部３２の内周面に階段状の段差３５を形成すると共に，該段差３５の稜線を曲線的に形成して周方向に凹凸レンズ状の透過面を連続形成した構成にあっては，グレアカットキャップ３０の胴部３２を透過する光を拡散することができ，また，前記頭部３３を外側に向かって膨出する半円弧状に形成すると共に，前記頭部３３の内壁面の円弧の半径ｒが，前記外壁面の円弧の半径Ｒよりも短く，且つ，前記内壁面の円弧の中心ｃｒを，前記外壁面の円弧の中心ＣＲに対し前記頭部３３寄りに設けた構成にあっては，グレアカットキャップ３０の頭部３３を透過した光についても拡散させることができ，照明むらを生じることなく，照明が行われる範囲全体を均一に明るくすることができた。【００３３】
また，このようにグレアカットキャップ３０を透過した光を均一に拡散させることができることから，照明器具１に設けられている既存の遮光性を有するグレアカットキャップを，本発明のグレアカットキャップに付け代えた場合であっても，照明を行う範囲全体の明るさをむらなく向上させることができ，汎用性を有するグレアカットキャップを提供することができた。【００３４】
なお，前述した環状部６１，固定爪６２，支持脚６３を備えた取付治具６０によってグレアカットキャップ３０の取り付けを行った照明器具１にあっては，グレアカットキャップ３０を所定の位置に簡単かつ正確に取り付けることができると共に，取付治具６０により遮られるリフレクタ２０の反射光を最小限のものとすることができ，照明むらの発生を防止することができた。【００３５】
特に，コーン５０に設けた挿入部５１の先端と，ケーシング４０内に設けた段部４６間で支持脚６３の先端を挟持できるようにした構成，更には，大径部４５の内周面に支持脚６３の先端部を受け入れる位置決め溝４８を設けた構成にあっては，正確な位置にグレアカットキャップ３０を取り付けることがより一層容易であった。
【図面の簡単な説明】
【００３６】
【図１】本発明のグレアカットキャップを備えた照明器具の概略断面図。
【図２】グレアカットキャップの肉厚の変化と透過光の屈折状態の変化を示した説明図であり，（Ａ）〜（Ｄ）は頭部の肉厚変化に伴う屈折状態の変化，（Ｅ），（Ｆ）は胴部の肉厚変化に伴う屈折状態の変化をそれぞれ示す。
【図３】光源に装着した状態のグレアカットキャップの断面図。
【図４】グレアカットキャップの斜視図。
【図５】グレアカットキャップの底面図。
【図６】図５のVI-VI線断面図。
【図７】凸条（凹溝）の形成パターン例を示す説明図。
【図８】図６中の矢示VIII部分の拡大図。
【図９】グレアカットキャップの胴部内壁に対する光の入射位置と透過光の屈折及び拡散状体を示す説明図であり，（Ａ），（Ｄ）はテーパ部，（Ｂ），（Ｅ）は凹部，（Ｃ），（Ｆ）は凸部に入射した状態。
【図１０】取付治具の説明図であり，（Ａ）はグレアカットキャップに取り付けた状態の斜視図，（Ｂ）は平面図，（Ｃ）は（Ｂ）のＣ−Ｃ線断面図。
【図１１】取付治具によるグレアカットキャップの取り付け状態を示す照明器具の要部断面図。
【図１２】図１１に示す照明器具からコーン及びガラス板を外した状態の底面図。
【図１３】従来の照明器具の説明図（特許文献１の図１に対応）。
【図１４】従来の照明器具の説明図（特許文献２の図４に対応)。
【発明を実施するための形態】
【００３７】
以下，添付図面を参照しながら，本発明のグレアカットキャップ３０を備えた照明器具１について説明する。
【００３８】
〔照明器具の全体構成〕
図１において，符号１は本発明のグレアカットキャップ３０を装着する照明器具１であり，本実施形態にあっては，一例としてこの照明器具１を，天井に形成した開口内に埋め込んだ状態で使用するダウンライトとして構成した例について説明する。
【００３９】
もっとも，本発明のグレアカットキャップ３０を装着可能な照明器具１は，以下で説明するダウンライトに限定されず，各種の照明器具に対して適用可能である。
【００４０】
図示の実施形態において，この照明器具１は，端板４１によって一端を塞がれた有底円筒状のケーシング４０を備え，このケーシング４０内において前記端板４１に取り付けたソケット４２にＨＩＤ，ＬＥＤ，ハロゲンランプ等の光源１０を取り付けることにより光源１０をケーシング４０内の所定の位置に取り付けることができるように構成されている。
【００４１】
このケーシング４０の開口４４の周縁に位置する開口端４３には，この開口端４３の反対方向で中央に光源挿入孔２２が形成されたリフレクタ２０を嵌合し，リフレクタ２０の前記光源挿入孔２２より光源１０をリフレクタ２０内に突出させて，光源１０の少なくとも発光点１１よりも前方の部分がリフレクタ２０内に配置されるように構成している。
【００４２】
そして，このようにしてリフレクタ２０内に配置された光源１０の先端部に，グレアカットキャップ３０を装着し，光源１０からの直接光がそのまま照明光として出射されないようにしている点は，図１３，図１４を参照して説明した従来の照明器具と同様の構成である。
【００４３】
しかし従来の照明器具が，グレアカットキャップを金属等の遮光性を有する材料によって形成していたのに対し，本発明の照明器具１にあっては，このグレアカットキャップ３０を，透光性を有する材質によって形成すると共に，このグレアカットキャップ３０の外形形状や表面形状をレンズ乃至はプリズムとしての機能を発揮するように設計し，光源１０からの直接光が，グレアカットキャップ３０を透過する際に，所望の状態に拡散，集束，散乱及び／又は屈折することで，グレアカットキャップによって制御された透過光を照明に利用できるようにしている。
【００４４】
なお，図１に示す実施形態にあっては，ケーシング４０の開口端４３に，これを延長するように略裁頭円錐状に形成されたコーン５０を設けている。
【００４５】
このようにコーン５０を設け，図示せざる天井等に形成された開口縁に，このコーン５０の下端縁が嵌合するように取り付けることで，消灯時に室内より照明器具を見上げた際，グレアカットキャップ３０，光源１０，リフレクタ２０が室内側からの視界に入り難くなり，天井等に違和感なく設置することができる。
【００４６】
〔グレアカットキャップ〕
本発明の照明器具１に装備される前述のグレアカットキャップ３０は，ガラスや，透光性を有するセラミックスや樹脂等の透光性材料によって形成したもので，このグレアカットキャップ３０に入射した光を透過させることができるようになっている。
【００４７】
このような透光性は，例えば，透明な材質によって得られる場合に限定されず，乳白材料によって半透明に形成するものとしても良く，また，照明光の調色を行う場合には，目的に応じて各種の着色が施された有色透明の材料を使用するものとしても良い。
【００４８】
本願のグレアカットキャップ３０は，光源１０からの直接光を受光する一方，光源１０からの光のうち，リフレクタ２０に向かう光についてはこれを遮ることがないよう，光源１０の先端部分に対してのみ取り付けて使用される。
【００４９】
このように，光源の先端部に対する取り付けを可能とするために，本発明のグレアカットキャップ３０は，光源１０の先端部を受け入れる開口部３１と，前記光源１０の先端部外周を覆う胴部３２と，前記開口部３１とは反対側端部において前記胴部３２を閉塞する頭部３３を備えた，全体としてキャップ状に形成されている。
【００５０】
このグレアカットキャップ３０は，図１に示すように，リフレクタ２０によって制御できない光源１０からの直接光および，光源１０の発光部αからコーン５０内面への直射光を確実に受光することができるよう，開口部３０の開口縁３１ａから発光部αの接線に直線状に連続する線γ，すなわち，前記コーン５０の内面上端βから光源１０の発光部αに接するように結ぶ線γ上に，開口縁３１ａが配置されるように，光源１０の先端部に取り付けて使用される。
【００５１】
このような線γ上に，グレアカットキャップ３０の開口縁３１ａを配置することにより，光源１０からの光のうち，リフレクタ２０の反射面に照射されない光はグレアカットキャップ３０に入射されることとなり，グレアカットキャップ３０による拡散，集束，散乱及び／又は屈折といった制御を受けることとなる。
【００５２】
また，このグレアカットキャップ３０は，開口部３１側から頭部３３に向かって胴部３２の幅を角度θ（図示の例ではθ=３０°）で狭める裁頭円錐状に形成されており，光源１０の先端部に取り付けた際に，胴部３２の外周面の延長上又は，その近傍に，前記リフレクタ２０の焦点Ｆが配置されるように取り付けることが好ましい。
【００５３】
このように構成することで，リフレクタ２０によって反射された光が，グレアカットキャップ３０の胴部３２の外周面等に対して入射することを防止でき，グレアカットキャップ３０の胴部３２の外周面に光が入射した場合に生じ得る，予期し得ない光の拡散等に伴って生じる，制御不能な光の発生を防止している。
【００５４】
なお，光源１０の先端部に対して取り付けた際，グレアカットキャップ３０の頭部３３が，リフレクタ２０の下端縁２４よりも上方に配置されるようにすることが好ましく，このように構成することで，リフレクタ２０の下端縁２４に各種のレンズやフィルタ等を取り付けた場合であっても，グレアカットキャップ３０の存在が邪魔になることがない。
【００５５】
以上で説明した基本形状を有するグレアカットキャップ３０は，更に，以下に説明するように，各部を目的に応じた形状に設計され，これにより透過する光に所望の拡散，集束，散乱及び／又は屈折を与えるレンズ乃至はプリズムとして機能が与えられている。
【００５６】
なお，グレアカットキャップ３０を通過する光に対して如何なる制御を行うかは，照明を行う目的等に応じて適宜決定することができる。
【００５７】
グレアカットキャップ３０に前述した機能を付与するために，グレアカットキャップ３０の内外周面間の肉厚を，所定の方向に増加又は減少させることができる。
【００５８】
このような肉厚変化のうち，グレアカットキャップ３０の頭部３３の肉厚の変化と屈折パターンの変化を図２（Ａ）〜（Ｄ）に，胴部３２の肉厚の変化と屈折パターンの変化を図２（Ｅ），（Ｆ）にそれぞれ示す。
【００５９】
頭部３３の肉厚については，図２（Ｂ），（Ｄ）に示すように中心から外周側に向かって肉厚を増加させることにより，頭部に入射した光は外向きに広がるように屈性して頭部を通過した光を拡散させることができ，これとは逆に，図２（Ａ），（Ｃ）に示すように，頭部３３の肉厚を中心から外側に向かって減少させるように変化させることにより，頭部３３に入射した光の拡散を抑え，平行光に制御し，又は，内向きに集束させる制御を行うことができる。
【００６０】
また，グレアカットキャップ３０の頭部３３は，図６に示すように外側に向かって半円弧状に膨出する形状としても良く，この場合，頭部３３に肉厚を一定としても良いが，図６中に変形例として示したように，前記頭部３３の内壁面の円弧の半径ｒが，前記外壁面の円弧の半径Ｒよりも短く，且つ，前記内壁面の円弧の中心ｃｒを，前記外壁面の円弧の中心ＣＲに対し前記頭部３３寄りに設けるものとしても良く，この場合には，頭部３３の内外周面がいずれも曲線を描きながら，頭部３３の中心から外周側に向かって肉厚を増加する変化を示すことから，透過光をより広角に拡散させることができる。
【００６１】
また，胴部３２の肉厚の変化については，開口部３１側から頭部３３側に向かって肉厚を増加した構成〔図２（Ｅ）参照〕では，胴部３２内壁に入射した光の広がりを抑えることができ，これとは逆に開口部３１側から頭部３３側に向かって肉厚を減少させる構造〔図２（Ｆ）参照〕では，胴部３２内壁に入射した光を拡散させることが可能となる。
【００６２】
以上のように，図２（Ａ）〜（Ｆ）に示した例では，グレアカットキャップ３０の内外周面間の肉厚を，所定の向きに厚く，又は薄く形成することで，光の収束又は拡散の制御が可能となる点につき説明したが，グレアカットキャップ３０を通過する光の制御は，内周又は外周面に凹凸を形成することによって行うものとしても良い。
【００６３】
このような構成の一例として，図３〜６に示す実施形態にあっては，グレアカットキャップ３０の内外周面に凸条３４や段差３５を形成するものとしている。もっとも，グレアカットキャップ３０の内外周面に形成する凹凸は，凸条３４（凹溝）や段差３５の形成によるだけでなく，例えばフロスト加工やシボ加工，篆刻（てんこく）による凹凸の形成，ローレット，Ｖ溝，角溝，球，曲面レンズ，魚眼レンズの形成等，各種の形状に形成することができる。
【００６４】
本実施形態において胴部３２の外周面に対しグレアカットキャップ３０の軸線方向を長手方向とする凸条３４を，胴部３２の内周面にグレアカットキャップの周方向に連続する段差３５（シリンドリカルステップ）を形成しているが，グレアカットキャップ３０に形成する凹凸の形成パターンはこの構成に限定されず，内周面に軸線方向の凸条を，外周面に周方向に連続する段差を形成しても良く，その構成は図示の例に限定されない。
【００６５】
また，凸条（凹溝）や段差の形状としても，光を如何に制御するかに応じて各種の形状より選択することができ，選択可能な形状の一例を，図７（Ａ）〜（Ｆ）に示す。
【００６６】
なお，図３〜６に示す実施形態にあっては，グレアカットキャップ３０の内周面に，図８の拡大図に示すように階段状の段差３５を形成すると共に，該段差３５の稜線を曲線的に形成して，周方向に波面状の凹凸レンズ状の透過面を連続形成した構成にあっては，この凹凸のいずれの位置に光が入射するかによって，透過光が異なる状態に拡散，集束，屈折されるものとなっている。
【００６７】
すなわち，光源１０の発光点１１とリフレクタ２０の有効反射面の周縁部２１とを結ぶ線Ｌに対し下側に向かって照射された光のうち，グレアカットキャップ３０の胴部３２内周面のテーパ面３５ａに入射した光は，図９（Ａ），（Ｄ）に示すように傾斜角が緩やかとなるように屈折され，また，グレアカットキャップ３０の胴部３２内周面における凹部３５ｂに入射した光は，図９（Ｂ），（Ｅ）に示すようにグレアカットキャップ３０を透過する際に緩やかに拡散され，更に，グレアカットキャップの胴部３２内周面における凸部３５ｃに入射した光は，図９（Ｃ），（Ｆ）に示すように一旦収束した後，大きく拡散する。
【００６８】
従って，図３〜９を参照して説明したグレアカットキャップ３０では，グレアカットキャップ３０を透過した光が複合的に拡散された後に照明光として利用されることから，光源１０で発生した光が照明光として有効に利用されるだけでなく，照明が行われる範囲全体に拡散されることから，例えば既存の照明器具に設けられている遮光性のグレアカットキャップと交換するだけで，明るさを増大させることができるだけでなく，単純に遮光性のグレアカットキャップを取り除いた際に生じるような，照明むらが生じ難い。
【００６９】
なお，前述したテーパ面３５ａは，頭部３３側から開口部３１側に向かうに従いグレアカットキャップ３０の内径を拡げるように，グレアカットキャップ３０の中心軸に対し，１°以上の傾斜角となるように形成することが好ましく，このように形成することで，グレアカットキャップ３０を金型によって成形する場合，金型の引き抜きが容易となる。
【００７０】
〔グレアカットキャップの取付構造〕
以上のように構成されたグレアカットキャップ３０は，図１を参照して説明したように，コーン５０の内面上端βから光源１０の発光部αに接するように結ぶ線γ上に前記開口縁３１ａが位置するように，光源１０の先端部に被覆した状態に取り付けられる。
【００７１】
このようなグレアカットキャップ３０の取り付けは，光むらの原因とならないよう，且つ，リフレクタ２０からの制御光を極力遮ることなく固定できるようにする必要があり，このような固定方法としては，一例として，ガラスやアクリルなどの光の透過率の高い透光性材料の円盤（図示せず）の中央にグレアカットキャップ３０を接着，その他の方法で固定し，又は，グレアカットキャップ３０を前述の透光性材料の円盤と一体成形し，このようにしてグレアカットキャップ３０を設けた前述の円盤をケーシング４０内に固定することにより行うものとしても良く，又は，金属，樹脂，その他必要な強度を備える材料によって形成した取付治具６０を設け，この取付治具６０によってグレアカットキャップ３０をケーシング４０内の所定の位置に取り付けるものとしても良い。
【００７２】
本実施形態にあっては一例として図１０〜１２に示す取付治具６０を使用して，グレアカットキャップ３０の取り付けを行った。
【００７３】
図示の実施形態において，この取付治具６０は，グレアカットキャップ３０の頭部３３周縁を載置する環状部６１と，前記環状部６１の外周縁より立ち上がると共に先端部で前記グレアカットキャップ３０の開口縁３１ａを係止して固定する固定爪６２と，前記環状部６１の外周縁より外周方向に突出し，先端が前記ケーシング４０の開口４４部分に固定される支持脚６３を備えている。
【００７４】
このような取付治具６０は，必要な強度を備えた金属板を打ち抜き成型する等して，中央に前述した環状部６１を備えると共に，この環状部６１の周縁部より外周方向に突出する，前述した固定爪６２及び支持脚６３となる帯状体を所定間隔，本実施形態にあっては６０°毎の等角度で計６本形成し，このうちの１２０°毎に設けられている３本をグレアカットキャップ３０の胴部３２に沿って立ち上げて前述の固定爪６２と成すと共に，残りの３本を所定の形状に折り曲げて支持脚６３とし，支持脚６３の先端部をケーシング４０内の所定の位置に固定することで，グレアカットキャップ３０を光源１０の先端部の所定の位置に取り付けることができるようにしている。
【００７５】
もっとも，取付治具６０の材質は，前述した金属に限定されず，必要な強度や耐熱性を備えるものであれば，エンジニアリングプラスチック等の樹脂材料，その他の材料によって製造するものとしても良い。
【００７６】
ケーシング４０内に対する取付治具６０の取り付け方法として，図１１に示す実施形態にあっては，コーン５０の上端部に，外周に雄ネジ５２を有する挿入部５１を設けると共に，前記ケーシング４０の開口４４内に，他の部分に対して内形を大きくした大径部４５と前記大径部４５の端部を画成する段部４６を形成すると共に，前記大径部４５の内周に前記挿入部５１の外周に形成した雄ネジ５２と螺合する雌ネジ４７を形成し，取付治具６０の支持脚６３の先端部が前記段部４６と係合するように，グレアカットキャップ３０と共に取付治具６０をケーシング４０内に挿入し，必要に応じて前記大径部４５内にガラス板やレンズ，フィルタ等を挿入した後（図示の例では，ガラス板７０を挿入），コーン５０に設けた挿入部５１を前記大径部４５に挿入，螺合させることで，前記挿入部５１の先端と前記段部４６との間で，図示の例ではガラス板７０を介して支持脚６３の先端部を挟持することができるようになっており，これにより，グレアカットキャップ３０を所定の位置に正確且つ簡単に取り付けることができるようになっている。
【００７７】
本実施形態にあっては，図１２に示すようにケーシング４０の大径部４５に支持脚６３の形成間隔，本実施形態にあっては１２０°毎の等間隔に位置決め溝４８を設け，この位置決め溝４８に前記支持脚６３の先端部を嵌合させることで，取付治具６０をケーシング４０の大径部に挿入できるようにしている。
【００７８】
以上のように構成された取付治具６０によってグレアカットキャップ３０を取り付けることで，グレアカットキャップ３０を，光源１０の先端部の所定の位置を被覆するように正確な位置に比較的簡単に取り付けることができる。
【００７９】
しかも，グレアカットキャップ３０を透過した光は，環状部６１や固定爪６２によって一部が遮られてしまうものの，環状部６１や固定爪６２を幅狭に形成することで，取付治具６０によって遮られる光量をごく僅かなものとすることができ，取付治具６０の存在によって照明むら等が生じることはない。
【００８０】
なお，図示の実施形態にあっては，取付治具６０の環状部６１上に，グレアカットキャップ３０の頭部３３周縁を載置するものとして説明したが，例えば環状部６１の中央に設けた開口内にグレアカットキャップの胴部３２を嵌合した状態で固定爪６２によってグレアカットキャップ３０の開口縁３１ａを係止した状態に取り付けるものとしても良い。
【００８１】
また，図１１を参照して説明した実施形態にあっては，ケーシング４０の内周に形成した段部４６と，コーン５０の上端に形成した挿入部５１の先端間で取付治具６０の支持脚６３の先端部を挟持することで，グレアカットキャップ３０をケーシング４０内の所定の位置に固定するものとして説明したが，ケーシング４０内における取付治具６０の固定方法は，上記の例に限定されず，例えばコーン５０の上端側にケーシング４０の下端部を受け入れ可能に形成する等，各種の変形が可能である。
【符号の説明】
【００８２】
１  照明器具
１０  光源
１１  発光点
２０  リフレクタ
２１  有効反射面の周縁部
２２  光源挿入孔
２３  フランジ
２４  下端縁
３０  グレアカットキャップ
３１  開口部
３１ａ  開口縁
３２  胴部
３３  頭部
３４  凸条
３５  段差
３５ａ  テーパ面
３５ｂ  凹部
３５ｃ  凸部
４０  ケーシング
４１  端板
４２  ソケット
４３  開口端
４４  開口（ケーシング４０の）
４５  大径部
４６  段部
４７  雌ネジ
４８  位置決め溝
５０  コーン
５１  挿入部
５２  雄ネジ
６０  取付治具
６１  環状部
６２  固定爪
６３  支持脚
７０  ガラス板
１００  照明器具
１１０  光源
１２０  リフレクタ
１３０  グレアカットキャップ
１３５  本体（グレアカットキャップの）
１３６  補助反射板
１３６ａ  補助反射面  
α  発光部
β  コーン５０の内面上端
γ  線；開口縁３１ａから発光部αの接線に連続する線
Ｌ  線；発光点１１とリフレクタ２０の有効反射面の周縁部２１とを結ぶ線
Ｆ  リフレクタの焦点
【図１】
2014061157.tif 000003
【図２】
2014061157.tif 000004
【図３】
2014061157.tif 000005
【図４】
2014061157.tif 000006
【図５】
2014061157.tif 000007
【図６】
2014061157.tif 000008
【図７】
2014061157.tif 000009
【図８】
2014061157.tif 000010
【図１０】
2014061157.tif 000011
【図１１】
2014061157.tif 000012
【図１２】
2014061157.tif 000013
【図１３】
2014061157.tif 000014
【図１４】
2014061157.tif 000015
【図９】
2014061157.tif 000016
【国際調査報告】
2014061157.tif 000017
2014061157.tif 000018